(57)【要約】【課題】誰でも手軽に胡桃を割ることができ、しかも胡桃を割った際に殻が飛散することを防ぐこともできる、新たな胡桃割り補助器具を提案する。【解決手段】台座部１と、該台座部１の上面部上に開閉可能に設けられ、胡桃を挟む胡桃挟止部を構成する挟止凹部５、６を備えた挟止部材２，３とを備え、挟止凹部５、６の内側面にはそれぞれ柔軟部材７、７が付設されてなる構成を備えた胡桃割り補助器具を提案する。【選択図】図１
2011251077.tif 000002
【特許請求の範囲】
【請求項１】
台座部１と、該台座部１の上面部に開閉可能に設けられ、挟止凹部５、６を備えた挟止部材２，３とを備え、前記挟止凹部５、６の内側面に柔軟部材７、７が付設されてなる構成を備えた胡桃割り補助器具。
【請求項２】
一方の挟止部材２は、台座部１の上面部に固定され、他方の挟止部材３は、台座部１の上面部に開閉可能に軸止されてなる構成を備えた請求項１記載の胡桃割り補助器具。
【請求項３】
挟止部材２，３は、閉じた状態で、挟止部材２，３間に隙間が生じるように配設されてなることを特徴とする請求項１又は２に記載の胡桃割り補助器具。
【請求項４】
挟止部材２，３を閉じた状態で挟止凹部５、６に囲まれた中心位置の台座部１上面部に座具９が埋設されてなる構成を備えた請求項１〜３の何れかに記載の胡桃割り補助器具。
【発明の詳細な説明】
【技術分野】
【０００１】
本発明は、金槌などを使って胡桃を割る際に、胡桃を手軽に固定することができる胡桃割補助器具に関する。
【背景技術】
【０００２】
硬い胡桃を割る方法としては、石などの硬いところの上に胡桃を置き、胡桃を手で固定して金槌で叩いて割る方法が従来は一般的であった。しかし、誤って手を叩くことがあるなど、慣れないと怪我をすることがあった。また、割れた瞬間に胡桃の殻が飛散して周囲を汚すという問題もあった。
【０００３】
最近では、ペンチ方式の胡桃割り器が多く提案されている。例えば特許文献１には、枢着点を支点に開閉する一対の開閉部間にくるみを挟持して挟み割りするくるみ割り器において、一方の開閉部の対向縁部にくるみを抱持する挟持凹部を形成し、他方の開閉部の対向縁部にくるみ割り刃を形成したことを特徴とする胡桃割り器が開示されている。
【先行技術文献】
【特許文献】
【０００４】
【特許文献１】実開平０５−６０４３６号公報
【発明の概要】
【発明が解決しようとする課題】
【０００５】
ペンチ方式の胡桃割り器においては、胡桃の表面が滑り易いため、胡桃を挟持して固定すること自体難しいばかりか、子供や女性、老人のような力の弱い者にとっては胡桃を挟んで割るということは容易なことではなかった。しかも、胡桃を割った際に殻が飛散して周囲を汚すという問題は未解決のままであった。
【０００６】
そこで本発明は、金槌などを使って胡桃を割る際に、誰でも容易かつ安全に胡桃を固定することができ、しかも胡桃を割った際に殻が飛散することを防ぐことができる、新たな胡桃割り補助器具を提案せんとするものである。
【課題を解決するための手段】
【０００７】
本発明は、台座部１と、該台座部１の上面部に開閉可能に設けられ、挟止凹部５、６を備えた挟止部材２，３とを備え、前記挟止凹部５、６の内側面に柔軟部材７、７が付設されてなる構成を備えた胡桃割り補助器具を提案する。
【０００８】
本発明の胡桃割り補助器具を用いて胡桃を割るには、先ず、挟止部材２，３を開いた状態としておき、一方の挟止部材２の挟止凹部５内の台座部１上に胡桃を置き、次いで挟止部材３を閉じて挟止凹部５、６で挟んで胡桃を固定しておいて、この胡桃を金槌などで叩いて割ればよい。この際、表面が滑り易い胡桃も、柔軟部材７、７によって包んで挟止することでき、しかも柔軟部材７、７が胡桃の形状や大きさに応じて変形するため、どのような形状、大きさの胡桃も容易に固定することができる。また、この柔軟部材７、７によって、胡桃を割った際に殻が飛散することを防ぐこともできる。
【図面の簡単な説明】
【０００９】
【図１】本発明に係る胡桃割り補助器具の一例を示した斜視図である。
【図２】図１の胡桃割り補助器具において、挟止部材３を開いた状態を示した斜視図である。
【図３】本発明の一例に係る胡桃割り補助器具の平面図である。
【図４】本発明の一例に係る胡桃割り補助器具を用いて、挟止部材３を開いて台座１上に胡桃を置いた状態の一例を示した斜視図である。
【図５】本発明の一例に係る胡桃割り補助器具を用いて、挟止部材３を閉じて胡桃を挟止し、胡桃を割る際の状態の一例を示した斜視図である。
【図６】本発明の他例に係る胡桃割り補助器具として、挟止部材３をスライド可能としてなる構成の一例を示した斜視図である。
【図７】同じく、挟止部材３をスライド可能としてなる構成の一例を示した平面図である。
【図８】本発明の他例に係る胡桃割り補助器具として、挟止部材２、３を隙間なく当接した場合の構成の一例を示した平面図である。
【図９】図１に示した胡桃割り補助器具の変形例を示した斜視図である。
【図１０】図９の胡桃割り補助器具において、挟止部材３を開いた状態を示した斜視図である。
【発明を実施するための形態】
【００１０】
次に、本発明を実施するための形態の一例について説明するが、本発明が下記に説明する実施形態に限定されるものではない。
【００１１】
本実施形態に係る胡桃割り補助器具（「本補助器具」と称する。）は、例えば図１に示すように、台座部１と、該台座部１の上面部に沿って開閉可能に設けられた挟止部材２，３とを備えたものである。
【００１２】
（台座部１）
台座部１は、胡桃を載せる台座の役割を為す部分であり、形状は任意である。一例としては、直方体、板体など任意の形状に形成することができる。
台座部１は、木材、プラスチック、金属など任意の材料から形成することができる。木材から安価に製造できる点が特徴の一つである。
【００１３】
（挟止部材２，３）
挟止部材２，３は、台座部１の上面部上で上面部に沿って開閉可能に設けられ、胡桃を挟んで固定することができる挟止凹部５、６を備えている。
挟止部材２，３はともに、木材、プラスチック、金属など任意の材料から形成することができる。木材から安価に製造できる点も特徴の一つである。
【００１４】
挟止部材２，３は、角柱状であっても、丸みを持った柱状であっても、内側面を波状に形成してなる板状であっても、その他の形状であってもよい。
挟止部材２，３の長さは、台座部１をはみ出ない長さであれば任意である。高さは、金槌などで胡桃を叩くことができるように、胡桃よりも高くないことが必要である。好ましくは胡桃の高さの９／１０〜１／２程度、特に４／５〜〜１／２程度、中でも３／４〜１／２程度とするのが好ましい。
【００１５】
挟止部材２，３を開閉可能とする方法としては、例えば挟止部材２及び３をともに台座部１に軸止して両方を上面部に沿って回動可能としてもよいし、また、図１及び図２に示すように、挟止部材２及び３の一方を台座部１に固定し、他方を台座部１に軸止して上面部に沿って回動可能としてもよい。さらに、図６及び図７に示すように、挟止部材２及び３の両方又は一方を互いに遠近させることができるようにスライド可能としてもよい。この際、スライド可能とするには、例えば図７に示すように、台座部１の上面部にレール１１を配設する一方、挟止部材３の下面にはレール１１と係合する係合部や、タイヤ、コロなどを配設してスライド可能とすることができる。但し、このようなスライド手段に限定するものではない。
【００１６】
使い勝手を考慮すると、図１及び図２に示すように、一方の挟止部材２を台座部１に固定し、他方の挟止部材３を台座部１に軸止して上面部に沿って回動可能とし、挟止部材２，３を開閉可能とするのが好ましい。
この際、固定部材２を台座部１に固定する手段としては、接着剤で接着してもよいし、また、釘や螺子などで台座部１に固定するようにしてもよい。
他方、挟止部材３を台座部１に軸止して回動可能とする手段としては、例えば図１及び図２に示すように、挟止部材３の一側を螺子などで台座部１に軸止すればよい（軸止部１０）。
【００１７】
挟止部材２及び３は、図１−３に示すように、閉じた状態で挟止部材２，３間に隙間が生じるように配設してもよいし、また、図８に示すように、両者が隙間なく当接するように配設してもよい。ただし、隙間なく配設する場合において、一方の挟止部材３を軸止して回動可能とするには、図のように軸止する側の挟止部材３の内側端部を円弧状にカットして回動させた際に他方の挟止部材３に当接しないようにするのが好ましい。
【００１８】
挟止部材２，３の挟止凹部５、６は、図１に示すように閉じた状態で胡桃を挟み得る大きさ、形状に形成すればよい。例えば、それぞれ半円状、半楕円状、半矩形状など任意の形状に凹んだ形状に形成すればよい。
また、挟止凹部５、６の大きさは、挟止部材２，３を閉じた状態で想定される胡桃の大きさと同程度の大きさに形成すればよい。
【００１９】
挟止凹部５、６を設ける位置は、できるだけ強い力で胡桃を挟止することができるように、挟止凹部５、６の中心位置が、挟止部材２，３の長さ方向において、少なくとも中央よりも軸止部１０の反対側、好ましくは挟止部材２，３の長さの２／３以上軸止部１０から離れた位置、さらに好ましくは挟止部材２，３の長さの３／４以上軸止部１０から離れるように設けるのが好ましい。
【００２０】
本例では、挟止部材２及び３にそれぞれ挟止凹部５、６を一つ設けてあるが、それぞれ２つ以上設けることも可能である。例えば図９及び図１０に示すように、挟止部材２に２つの挟止凹部５、５を設け、挟止部材３に２つの挟止凹部６、６を設けるようにして２つの胡桃挟止部４，４を設けることができる。
また、複数の胡桃挟止部４，４を設ける場合には、異なる大きさや形状の胡桃に対応し得るように、大きさ或いは形状を変えるのが好ましい。
【００２１】
挟止部材２，３の挟止凹部５、６の内側面にそれぞれ柔軟部材７、７を付設することが重要である。
挟止凹部５、６の内側面に柔軟部材７，７を付設することによって、表面が滑り易い胡桃であっても、柔軟部材７、７によって包んで挟止することでき、しかも柔軟部材７、７が胡桃の形状や大きさに応じて変形するため、どのような形状、大きさの胡桃も容易に固定することができる。また、この柔軟部材７、７によって、胡桃を割った際に殻が飛散することを防ぐこともできる。
【００２２】
柔軟部材７としては、例えばシート状のスポンジ体や、シート状のゴム、シート状の柔軟なプラスチック、さらには不織布や繊維体、その他の柔軟な素材などを使用することができる。中でも、柔軟でかつ弾性を有している点でシート状のスポンジを使用するのが好ましい。
【００２３】
柔軟部材７の厚さは任意である。例えば０．５ｍｍ〜１０ｍｍの範囲で適宜調整すればよい。
柔軟部材７の大きさは、例えば図８に示すように、挟止凹部５、６内に収まる大きさであってもよいが、図１−３に示すように、上方又は横方又は両方にはみ出す大きさであるのが好ましい。このようにはみ出す大きさであれば、胡桃の殻が飛散するのをより効果的に防止することができる。また、図１及び３に示すように、挟止凹部５、６から横方向にはみ出した柔軟部材７の両端部は、挟止部材２，３を閉じた際にその隙間に入り込ませることができるから、挟止部材２，３が接触することを防ぐことができ、使用による破損を防ぐことができる。
この際、挟止凹部５、６から上方に１ｍｍ〜３０ｍｍ、特に５ｍｍ〜２０ｍｍ程度はみ出す大きさであるのが好ましい。また、挟止凹部５、６から上方に１ｍｍ〜３０ｍｍ、特に５ｍｍ〜２０ｍｍ程度はみ出す大きさであるのが好ましい。
【００２４】
挟止凹部５、６の内側面に柔軟部材７を付設するには、接着剤により接着すればよい。但し、このような付設手段に限定するものではない。
【００２５】
図１に示すように、挟止部材２，３の内側面の挟止凹部５、６とは異なる位置に、指掛凹部８，８を設けてもよい。このような指掛凹部８，８を設ければ、挟止部材２，３を開く際に、この部分に指を掛けて容易に開けることができるようにすることができる。
【００２６】
また、図２及び図３に示すように、台座部１の上面部における胡桃挟止部４の中心部、言い換えれば、挟止部材２，３を閉じた状態で挟止凹部５、６に囲まれた中心位置の台座部１上面部に、座具９を埋設するのが好ましい。
台座部１の上面部に座具９を埋設することにより、胡桃を台座１の上面部に置く際の位置決めをしやすくすることができるばかりか、胡桃を金槌などで叩いて割り易くなる。さらに、金槌などで叩いた際の衝撃を座具９で受け止めることができるため、台座部１の損傷を防止することができる。
【００２７】
座具９としては、金属や石材などの硬い材質のものが好ましく、その形状は、平板状、ねじ状、矩形塊状など任意である。
座具９として螺子を使用すれば、螺子を回すことによって、高さを調整することができるため、胡桃の大小に応じて螺子の高さを調整することができる（図１０参照）。さらに座具９としてプラス溝を備えた螺子を使用すれば、胡桃を載置する際にプラス溝の中心部に胡桃を載せればよいから、位置決めしやすくなる。
【００２８】
（使用方法）
本補助器具を用いて胡桃を割るには、先ず、図４に示すように、挟止部材２，３を開いた状態としておき、一方の挟止部材２の挟止凹部５内の台座部１上に胡桃を置き、次いで、図５に示すようい、挟止部材３を閉じて挟止凹部５、６で挟んで胡桃を固定し、金槌などで胡桃を叩いて割ればよい。
この際、表面が滑り易い胡桃も、柔軟部材７、７によって包んで挟止することでき、しかも柔軟部材７、７が胡桃の形状や大きさに応じて変形するため、どのような形状、大きさの胡桃も容易に固定することができる。また、この柔軟部材７、７によって、胡桃を割った際に殻が飛散することを防ぐこともできる。
【符号の説明】
【００２９】
１  台座部
２  挟止部材
３  挟止部材
４  胡桃挟止部  
５  挟止凹部
６  挟止凹部
７  柔軟部材
８  指掛凹部
９  座具
１０  軸止部
１１  レール
【図１】
2011251077.tif 000003
【図２】
2011251077.tif 000004
【図３】
2011251077.tif 000005
【図４】
2011251077.tif 000006
【図５】
2011251077.tif 000007
【図６】
2011251077.tif 000008
【図７】
2011251077.tif 000009
【図８】
2011251077.tif 000010
【図９】
2011251077.tif 000011
【図１０】
2011251077.tif 000012
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
台座部１と、該台座部１の上面部に沿って開閉可能に設けられ、挟止凹部５、６を備えた挟止部材２，３とを備え、前記挟止凹部５、６の内側面に柔軟部材７、７が付設されてなる構成を備えており、
挟止部材２，３は、閉じた状態で、互いに平行となり、且つ、両者間に隙間が生じるように配設されてなることを特徴とする胡桃割り補助器具。
【請求項２】
一方の挟止部材２は、台座部１の上面部に固定され、他方の挟止部材３は、台座部１の上面部に沿って開閉可能に軸止されてなる構成を備えた請求項１記載の胡桃割り補助器具。
【請求項３】
柔軟部材７、７は、挟止凹部５、６から上方にはみ出す大きさであることを特徴とする請求項１又は２に記載の胡桃割り補助器具。
【請求項４】
挟止部材２，３を閉じた状態で挟止凹部５、６に囲まれた中心位置の台座部１上面部に座具９が埋設されてなる構成を備えた請求項１〜３の何れかに記載の胡桃割り補助器具。
【手続補正２】
【補正対象書類名】明細書
【補正対象項目名】００２８
【補正方法】変更
【補正の内容】
【００２８】
（使用方法）
本補助器具を用いて胡桃を割るには、先ず、図４に示すように、挟止部材２，３を開いた状態としておき、一方の挟止部材２の挟止凹部５内の台座部１上に胡桃を置き、次いで、図５に示すように、挟止部材３を閉じて挟止凹部５、６で挟んで胡桃を固定し、金槌などで胡桃を叩いて割ればよい。
この際、表面が滑り易い胡桃も、柔軟部材７、７によって包んで挟止することでき、しかも柔軟部材７、７が胡桃の形状や大きさに応じて変形するため、どのような形状、大きさの胡桃も容易に固定することができる。また、この柔軟部材７、７によって、胡桃を割った際に殻が飛散することを防ぐこともできる。